(57)【要約】【課題】簡易な構成により光変調振幅を算出すること。【解決手段】第２光伝送装置１２０は、受信部１２１と、算出部１２２と、を備える。受信部１２１は、第１光伝送装置１１０が送信する光信号の消光比を導出可能な情報を第１光伝送装置１１０から受信する。算出部１２２は、受信部１２１によって受信された情報に基づいて導出した消光比と、第１光伝送装置１１０からの光信号の受信パワーの自装置による測定結果と、に基づく光変調振幅を算出する。【選択図】図１
2018182647.tif 000002
【特許請求の範囲】
【請求項１】
他の光伝送装置からの光信号を受信する光伝送装置であって、
前記他の光伝送装置に搭載された光伝送モジュールに関する製品情報を前記他の光伝送装置から受信する受信部と、
前記受信部によって受信された前記製品情報に基づいて導出した消光比と、前記光信号の受信パワーの自装置による測定結果と、に基づく光変調振幅を算出する算出部と、
を備えることを特徴とする光伝送装置。
【請求項２】
前記製品情報は、前記他の光伝送装置が前記光信号の送信に用いる光伝送モジュールの製品識別子であり、
前記算出部は、光伝送モジュールの製品識別子ごとに消光比を示す対応情報と、前記受信部によって受信された前記製品識別子と、に基づいて導出した前記消光比および前記測定結果に基づく前記光変調振幅を算出する、
ことを特徴とする請求項１に記載の光伝送装置。
【請求項３】
前記製品情報は、前記他の光伝送装置が前記光信号の送信に用いる光伝送モジュールの消光比を示す情報であり、
前記算出部は、前記受信部によって受信された前記製品情報が示す前記消光比および前記測定結果に基づく前記光変調振幅を算出する、
ことを特徴とする請求項１に記載の光伝送装置。
【請求項４】
前記消光比を示す情報は、前記光伝送モジュールの個体について測定された消光比を示す情報であることを特徴とする請求項３に記載の光伝送装置。
【請求項５】
前記受信部は、前記他の光伝送装置による前記光信号のパワー制御の異常を示す情報を受信し、
前記算出部は、算出した前記光変調振幅に基づく情報を出力し、前記受信部によって前記異常を示す情報が受信された場合に、前記光変調振幅に基づく情報の出力を停止する、
ことを特徴とする請求項１〜４のいずれか一つに記載の光伝送装置。
【請求項６】
他の光伝送装置へ光信号を送信する光伝送装置であって、
自装置に搭載された光伝送モジュールに関する製品情報を取得する取得部と、
前記取得部によって取得された前記製品情報を、前記製品情報に基づいて導出した消光比と、前記光信号の受信パワーの前記他の光伝送装置による測定結果と、に基づく光変調振幅を算出する前記他の光伝送装置へ送信する送信部と、
を備えることを特徴とする光伝送装置。
【請求項７】
他の光伝送装置へ光信号を送信する光伝送装置であって、
自装置に搭載された光伝送モジュールに関する製品情報を取得する取得部と、
前記光信号の受信パワーの前記他の光伝送装置による測定結果を受信する受信部と、
前記取得部によって取得された前記製品情報に基づいて導出した消光比と、前記受信部によって受信された前記測定結果と、に基づく光変調振幅を算出する算出部と、
を備えることを特徴とする光伝送装置。
【請求項８】
他の光伝送装置からの光信号を受信する光伝送装置であって、
前記光信号を受信し、受信した前記光信号の受信パワーを測定する受信部と、
前記受信部による前記受信パワーの測定結果を、前記他の光伝送装置に搭載された光伝送モジュールに関する製品情報から導出した消光比と、前記測定結果と、に基づく光変調振幅を算出する前記他の光伝送装置へ送信する送信部と、
を備えることを特徴とする光伝送装置。
【発明の詳細な説明】
【技術分野】
【０００１】
本発明は、光伝送装置に関する。
【背景技術】
【０００２】
従来、ＯＴＮ（Ｏｐｔｉｃａｌ  Ｔｒａｎｓｐｏｒｔ  Ｎｅｔｗｏｒｋ：光伝達網）などの光伝送を用いた通信システムが知られている。また、クライアント側送信部の送信光の消光比を消光比測定部により測定し、測定した消光比を基にＯＭＡ規格に適合するか否かを判定する技術が知られている（たとえば、下記特許文献１参照。）。ＯＭＡはＯｐｔｉｃａｌ  Ｍｏｄｕｌａｔｉｏｎ  Ａｍｐｌｉｔｕｄｅ（光変調振幅）の略である。
【先行技術文献】
【特許文献】
【０００３】
【特許文献１】特開２００８−１７７８４０号公報
【発明の概要】
【発明が解決しようとする課題】
【０００４】
しかしながら、上述した従来技術では、たとえば消光比の測定には波形モニタ等の機器を要するため、消光比に基づく光変調振幅の算出が困難という問題がある。
【０００５】
１つの側面では、本発明は、簡易な構成により光変調振幅を算出することができる光伝送装置を提供することを目的とする。
【課題を解決するための手段】
【０００６】
上述した課題を解決し、目的を達成するため、１つの実施態様では、他の光伝送装置からの光信号を受信する光伝送装置が、前記他の光伝送装置に搭載された光伝送モジュールに関する製品情報を前記他の光伝送装置から受信し、受信した前記製品情報に基づいて導出した消光比と、前記光信号の受信パワーの自装置による測定結果と、に基づく光変調振幅を算出する光伝送装置が提案される。
【０００７】
また、別の１つの実施態様では、他の光伝送装置へ光信号を送信する光伝送装置が、自装置に搭載された光伝送モジュールに関する製品情報を取得し、取得した前記製品情報を、前記製品情報に基づいて導出した消光比と、前記光信号の受信パワーの前記他の光伝送装置による測定結果と、に基づく光変調振幅を算出する前記他の光伝送装置へ送信する光伝送装置が提案される。
【０００８】
また、別の１つの実施態様では、他の光伝送装置へ光信号を送信する光伝送装置が、自装置に搭載された光伝送モジュールに関する製品情報を取得し、前記光信号の受信パワーの前記他の光伝送装置による測定結果を受信し、取得した前記製品情報に基づいて導出した消光比と、受信した前記測定結果と、に基づく光変調振幅を算出する光伝送装置が提案される。
【０００９】
また、別の１つの実施態様では、他の光伝送装置からの光信号を受信する光伝送装置が、前記光信号を受信し、受信した前記光信号の受信パワーを測定し、前記受信パワーの測定結果を、前記他の光伝送装置に搭載された光伝送モジュールに関する製品情報から導出した消光比と、前記測定結果と、に基づく光変調振幅を算出する前記他の光伝送装置へ送信する光伝送装置が提案される。
【発明の効果】
【００１０】
本発明の一側面によれば、簡易な構成により光変調振幅を算出することができるという効果を奏する。
【図面の簡単な説明】
【００１１】
【図１】図１は、実施の形態１にかかる光伝送システムの一例を示す図である。
【図２】図２は、実施の形態１にかかる伝送システムを適用した１０ＧＥ／１００ＧＥ伝送システムの一例を示す図である。
【図３】図３は、実施の形態１にかかる第２光伝送装置のＥＥＰＲＯＭに記憶される情報の一例を示す図である。
【図４】図４は、実施の形態１にかかる第１光伝送装置による処理の一例を示すフローチャートである。
【図５】図５は、実施の形態１にかかる第２光伝送装置による処理の一例を示すフローチャートである。
【図６】図６は、実施の形態１にかかる第２光伝送装置による情報出力処理の一例を示すフローチャートである。
【図７】図７は、実施の形態１にかかるＯＭＡのスタンダード値の一例を示す図である。
【図８】図８は、実施の形態１にかかる伝送システムにおける消光比が大きい光信号の伝送の一例を示す図である。
【図９】図９は、実施の形態１にかかる伝送システムにおける消光比が小さい光信号の伝送の一例を示す図である。
【図１０】図１０は、実施の形態２にかかる第２光伝送装置のＥＥＰＲＯＭに記憶される情報の一例を示す図である。
【図１１】図１１は、実施の形態２にかかる第２光伝送装置による処理の一例を示すフローチャートである。
【図１２】図１２は、実施の形態３にかかる第１光伝送装置のＥＥＰＲＯＭに記憶される情報の一例を示す図である。
【図１３】図１３は、実施の形態３にかかる第１光伝送装置による処理の一例を示すフローチャートである。
【図１４】図１４は、実施の形態３にかかる第２光伝送装置による処理の一例を示すフローチャートである。
【図１５】図１５は、実施の形態４にかかる光伝送システムの一例を示す図である。
【発明を実施するための形態】
【００１２】
以下に図面を参照して、本発明にかかる光伝送装置の実施の形態を詳細に説明する。
【００１３】
（実施の形態１）
（実施の形態１にかかる光伝送システム）
図１は、実施の形態１にかかる光伝送システムの一例を示す図である。図１に示すように、実施の形態１にかかる光伝送システム１００は、第１光伝送装置１１０と、第２光伝送装置１２０と、を備える。図１に示す例では、第１光伝送装置１１０から第２光伝送装置１２０へ光信号を伝送する場合について説明する。
【００１４】
第１光伝送装置１１０は、送信部１１１と、取得部１１２と、を備える。送信部１１１は、第２光伝送装置１２０へ光信号を送信する。また、送信部１１１は、取得部１１２から出力された、第１光伝送装置１１０に搭載された光伝送モジュールに関する製品情報を含む光信号を送信する。
【００１５】
取得部１１２は、第１光伝送装置１１０に搭載された光伝送モジュールに関する製品情報を取得し、取得した製品情報を送信部１１１へ出力する。この製品情報は、たとえば送信部１１１が送信する光信号の消光比を導出可能な情報である。たとえば、第１光伝送装置１１０のメモリには製品情報が記憶されており、取得部１１２は第１光伝送装置１１０のメモリからこの情報を取得する。
【００１６】
製品情報は、たとえば、送信部１１１が光信号の送信に用いる光伝送モジュールの製品識別子である。光伝送モジュールの製品識別子は、たとえばその光伝送モジュールの製品を識別可能な識別情報である。たとえば、光伝送モジュールの製品識別子は、その光伝送モジュールの製品に付された型名である。または、光伝送モジュールの製品識別子は、その光伝送モジュールの製品に付された型名と、その光伝送モジュールのベンダ名と、を含む情報などであってもよい。また、光伝送モジュールの製品識別子は、その光伝送モジュールの製品のリビジョン（改訂番号や版数）を示す情報を含んでもよい。
【００１７】
第２光伝送装置１２０は、受信部１２１と、算出部１２２と、を備える。受信部１２１は、第１光伝送装置１１０から送信された光信号を受信する。また、受信部１２１は、受信した信号に含まれる製品情報を算出部１２２へ出力する。また、受信部１２１は、第１光伝送装置１１０からの光信号の受信パワーを測定し、測定した受信パワーを算出部１２２へ通知する。
【００１８】
算出部１２２は、受信部１２１から出力された製品情報に基づいて消光比を導出する。たとえば、製品情報が上述の製品識別子である場合に、算出部１２２は、光伝送モジュールの製品識別子ごとにその製品識別子が示す光伝送モジュールが送信する光信号の消光比を示す対応情報を取得する。この対応情報は、第２光伝送装置１２０のメモリに記憶されていてもよいし、外部の記憶装置に記憶されていてもよい。そして、算出部１２２は、取得した対応情報において、受信部１２１から出力された製品識別子と対応付けられている消光比を特定することにより消光比を導出する。
【００１９】
また、算出部１２２は、導出した消光比と、受信部１２１から通知された受信パワーの測定結果と、に基づくＯＭＡ（光変調振幅）値を算出する。そして、算出部１２２は、算出したＯＭＡ値に応じた情報を出力する。
【００２０】
このように、第２光伝送装置１２０によれば、第１光伝送装置１１０に搭載された光伝送モジュールに関する製品情報を第１光伝送装置１１０から受信することができる。そして、受信した製品情報に基づいて導出した消光比と、第１光伝送装置１１０からの光信号の受信パワーの自装置による測定結果と、に基づく光変調振幅を算出することができる。これにより、たとえば波形モニタ等の機器を用いなくても消光比を導出し、導出した消光比に基づくＯＭＡ（光変調振幅）値を算出することができる。
【００２１】
（実施の形態１にかかる伝送システムを適用した１０ＧＥ／１００ＧＥ伝送システム）
図２は、実施の形態１にかかる伝送システムを適用した１０ＧＥ／１００ＧＥ伝送システムの一例を示す図である。図２に示す伝送システム２０は、１０ＧＥおよび１００ＧＥに対応した伝送システムであり、第１光伝送装置２００Ａと、第２光伝送装置２００Ｂと、を備える。ＧＥはＧｉｇａｂｉｔ  Ｅｔｈｅｒｎｅｔ（ギガビットイーサネット）の略である。イーサネット（Ｅｔｈｅｒｎｅｔ）は登録商標である。第１光伝送装置２００Ａおよび第２光伝送装置２００Ｂは、光伝送路２１，２２を介して互いに接続されている。光伝送路２１，２２のそれぞれは、たとえばＳＭＦなどの光ファイバである。ＳＭＦはＳｉｎｇｌｅ  Ｍｏｄｅ  Ｆｉｂｅｒ（シングルモードファイバ）の略である。
【００２２】
第１光伝送装置２００Ａは、ＣＰＵ２１０Ａと、パケット生成部２２０Ａと、プラガブルモジュール２３０Ａと、パケット受信部２５０Ａと、を備える。また、第１光伝送装置２００Ａは、インタフェース２６０Ａを備えてもよい。ＣＰＵはＣｅｎｔｒａｌ  Ｐｒｏｃｅｓｓｉｎｇ  Ｕｎｉｔ（中央処理装置）の略である。パケット生成部２２０Ａおよびパケット受信部２５０Ａは、たとえばＦＰＧＡ（Ｆｉｅｌｄ  Ｐｒｏｇｒａｍｍａｂｌｅ  Ｇａｔｅ  Ａｒｒａｙ）やＤＳＰ（Ｄｉｇｉｔａｌ  Ｓｉｇｎａｌ  Ｐｒｏｃｅｓｓｏｒ）などのデジタル回路により実現することができる。
【００２３】
ＣＰＵ２１０Ａは、第１光伝送装置２００Ａの全体の動作を司る。たとえば、ＣＰＵ２１０Ａは、プラガブルモジュール２３０Ａによる光信号の送受信を制御する。また、ＣＰＵ２１０Ａは、パケット生成部２２０Ａによるパケットの生成を制御する。また、ＣＰＵ２１０Ａは、パケット受信部２５０Ａから出力されたパケットに基づく処理を行う。また、ＣＰＵ２１０Ａは、インタフェース２６０Ａによる情報の入出力を制御してもよい。
【００２４】
パケット生成部２２０Ａは、ＣＰＵ２１０Ａからの制御にしたがって、１０ＧＥまたは１００ＧＥのパケットを生成する。そして、パケット生成部２２０Ａは、生成したパケットをプラガブルモジュール２３０Ａへ出力する。
【００２５】
プラガブルモジュール２３０Ａは、第１光伝送装置２００Ａに対してプラガブル（脱着可能）な光伝送モジュールである。プラガブルモジュール２３０Ａには、一例としてはＣＦＰ等の光モジュールを用いることができる。ＣＦＰはＣｅｎｔｕｍ  ｇｉｇａｂｉｔ  Ｆｏｒｍ−ｆａｃｔｏｒ  Ｐｌｕｇｇａｂｌｅの略である。
【００２６】
たとえば、プラガブルモジュール２３０Ａは、ＣＤＲ２３１Ａと、ＬＤドライバ２３２Ａと、ＬＤ２３３Ａと、ＰＤ２３４Ａと、ＴＩＡ２３５Ａと、ＣＤＲ２３６Ａと、を備える。また、プラガブルモジュール２３０Ａは、受信パワーモニタ２３７Ａと、ＣＰＵ２３８Ａと、ＡＰＣ部２３９Ａと、ＥＥＰＲＯＭ２４０Ａと、を備える。ＣＤＲはＣｌｏｃｋ  Ｄａｔａ  Ｒｅｃｏｖｅｒｙの略である。ＬＤはＬａｓｅｒ  Ｄｉｏｄｅ（レーザダイオード）の略である。ＰＤはＰｈａｓｅ  Ｄｅｔｅｃｔｏｒ（位相検波器）の略である。ＴＩＡはＴｒａｎｓｉｍｐｅｄａｎｃｅ  Ａｍｐｌｉｆｉｅｒ（インピーダンス変換増幅器）の略である。ＡＰＣはＡｕｔｏ  Ｐｏｗｅｒ  Ｃｏｎｔｒｏｌ（自動強度制御）の略である。ＥＥＰＲＯＭはＥｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙの略である。
【００２７】
ＣＤＲ２３１Ａは、パケット生成部２２０Ａから出力されたパケットに対する送信側のクロックデータリカバリ処理を行い、クロックデータリカバリ処理を行ったパケットをＬＤドライバ２３２Ａへ出力する。ＬＤドライバ２３２Ａは、ＣＤＲ２３１Ａから出力されたパケットに基づく駆動電流をＬＤ２３３Ａへ出力する。
【００２８】
ＬＤ２３３Ａは、ＬＤドライバ２３２Ａから出力された駆動電流に応じた光を発振する。そして、ＬＤ２３３Ａは、発振した光を、光伝送路２１を介して第２光伝送装置２００Ｂへ出射する。これにより、ＣＤＲ２３１Ａから出力されたパケットが光信号に変換されて第２光伝送装置２００Ｂへ送信される。
【００２９】
ＰＤ２３４Ａは、第２光伝送装置２００Ｂから光伝送路２２を介して送信された光信号を受光し、受光により得られた電気信号をＴＩＡ２３５Ａへ出力する。ＴＩＡ２３５Ａは、ＰＤ２３４Ａから出力された電気信号を電流信号から電圧信号に変換し、電圧信号に変換した信号をＣＤＲ２３６Ａへ出力する。ＣＤＲ２３６Ａは、ＴＩＡ２３５Ａから出力された信号に対する受信側のクロックデータリカバリ処理を行い、クロックデータリカバリ処理により得られたパケットをパケット受信部２５０Ａへ出力する。
【００３０】
受信パワーモニタ２３７Ａは、ＰＤ２３４Ａによって受光される光信号の受信パワー（平均光パワー）をモニタする。たとえば、受信パワーモニタ２３７Ａは、ＰＤ２３４ＡからＴＩＡ２３５Ａへ出力される電気信号に基づいて光信号の受信パワーをモニタする。そして、受信パワーモニタ２３７Ａは、モニタした受信パワーを示す受信パワー情報をＣＰＵ２３８Ａへ出力する。
【００３１】
ＣＰＵ２３８Ａは、ＣＰＵ２１０Ａからの制御に従って、プラガブルモジュール２３０Ａの動作を司る。たとえば、ＣＰＵ２３８Ａは、ＡＰＣ部２３９ＡによるＡＰＣを制御する。ＡＰＣ部２３９Ａは、ＣＰＵ２３８Ａからの制御に従って、ＬＤドライバ２３２ＡがＬＤ２３３Ａへ出力する駆動電流の大きさを調整することにより、ＬＤ２３３Ａが出射する光信号のパワーを一定に調整するＡＰＣを行う。また、ＡＰＣ部２３９Ａは、たとえばＬＤ２３３Ａなどの経年劣化や故障により、ＬＤ２３３Ａが出射する光信号のパワーを一定に調整できなくなると、ＡＰＣ異常情報をＣＰＵ２３８Ａへ通知する。
【００３２】
パケット受信部２５０Ａは、プラガブルモジュール２３０Ａから出力されたパケットの受信処理を行い、受信処理を行ったパケットをＣＰＵ２１０Ａへ出力する。インタフェース２６０Ａは、ＣＰＵ２１０Ａからの制御によって、第１光伝送装置２００Ａの外部との間で情報の入出力を行うインタフェースである。たとえば、インタフェース２６０Ａは、たとえば、ユーザからの操作入力を受け付ける入力デバイスや、ユーザへ情報を出力する出力デバイスなどのユーザインタフェースである。ユーザは、たとえば第１光伝送装置２００Ａの管理者である。または、インタフェース２６０Ａは、第１光伝送装置２００Ａと異なる通信装置との間で通信を行う通信インタフェースであってもよい。
【００３３】
第２光伝送装置２００Ｂは、ＣＰＵ２１０Ｂと、パケット生成部２２０Ｂと、プラガブルモジュール２３０Ｂと、パケット受信部２５０Ｂと、を備える。ＣＰＵ２１０Ｂ、パケット生成部２２０Ｂ、プラガブルモジュール２３０Ｂおよびパケット受信部２５０Ｂは、それぞれＣＰＵ２１０Ａ、パケット生成部２２０Ａ、プラガブルモジュール２３０Ａおよびパケット受信部２５０Ａと同様の構成である。
【００３４】
また、プラガブルモジュール２３０Ｂは、ＣＤＲ２３１Ｂと、ＬＤドライバ２３２Ｂと、ＬＤ２３３Ｂと、ＰＤ２３４Ｂと、ＴＩＡ２３５Ｂと、ＣＤＲ２３６Ｂと、を備える。ＣＤＲ２３１Ｂ、ＬＤドライバ２３２Ｂ、ＬＤ２３３Ｂ、ＰＤ２３４Ｂ、ＴＩＡ２３５ＢおよびＣＤＲ２３６Ｂは、ＣＤＲ２３１Ａ、ＬＤドライバ２３２Ａ、ＬＤ２３３Ａ、ＰＤ２３４Ａ、ＴＩＡ２３５ＡおよびＣＤＲ２３６Ａと同様の構成である。
【００３５】
ただし、ＬＤ２３３Ｂは、発振した光を、光伝送路２２を介して第１光伝送装置２００Ａへ送信する。また、ＰＤ２３４Ｂは、第１光伝送装置２００Ａから光伝送路２１を介して送信された光信号を受光する。
【００３６】
また、プラガブルモジュール２３０Ｂは、受信パワーモニタ２３７Ｂと、ＣＰＵ２３８Ｂと、ＡＰＣ部２３９Ｂと、ＥＥＰＲＯＭ２４０Ｂと、を備える。受信パワーモニタ２３７Ｂ、ＣＰＵ２３８Ｂ、ＡＰＣ部２３９ＢおよびＥＥＰＲＯＭ２４０Ｂは、それぞれ受信パワーモニタ２３７Ａ、ＣＰＵ２３８Ａ、ＡＰＣ部２３９ＡおよびＥＥＰＲＯＭ２４０Ａと同様の構成である。また、第２光伝送装置２００Ｂは、インタフェース２６０Ｂを備えてもよい。インタフェース２６０Ｂは、インタフェース２６０Ａと同様の構成である。
【００３７】
（ＯＭＡ値の算出および情報出力について）
つぎに、第２光伝送装置２００Ｂが、第１光伝送装置２００Ａから受信した光信号のＯＭＡ値を算出する場合について説明する。第１光伝送装置２００ＡのＣＰＵ２１０Ａは、プラガブルモジュール２３０Ａのベンダ名および型名（製品識別子）を示す情報を含むパケットを生成するようにパケット生成部２２０Ａを制御する。
【００３８】
パケット生成部２２０Ａは、ＣＰＵ２１０Ａからの制御により、ベンダ名および型名を示す情報をＭＡＣフレームのペイロードに格納し、ベンダ名および型名を示す情報をペイロードに格納したＭＡＣフレームに基づくパケットを生成する。これにより、プラガブルモジュール２３０Ａのベンダ名および型名を含むパケットが第２光伝送装置２００Ｂへ送信される。ＭＡＣはＭｅｄｉａ  Ａｃｃｅｓｓ  Ｃｏｎｔｒｏｌ（メディアアクセス制御）の略である。ただし、ベンダ名および型名を示す情報は、ＭＡＣフレームのペイロードに限らずパケットの各種の領域に格納することができる。
【００３９】
プラガブルモジュール２３０Ａのベンダ名および型名は、たとえば、プラガブルモジュール２３０ＡのＥＥＰＲＯＭ２４０Ａに記憶されている。この場合に、ＣＰＵ２１０Ａは、ＥＥＰＲＯＭ２４０Ａに記憶されたベンダ名および型名を、後述のプラガブルモジュール２３０ＡのＣＰＵ２３８Ａを介して取得する。
【００４０】
ＣＰＵ２１０Ａの制御によるベンダ名および型名を示す情報を含むパケットの送信は、たとえば、プラガブルモジュール２３０Ａや第１光伝送装置２００Ａの起動時に行われる。また、ＣＰＵ２１０Ａの制御によるベンダ名および型名を示す情報を含むパケットの送信は定期的に行われてもよい。
【００４１】
第２光伝送装置２００ＢのＥＥＰＲＯＭ２４０Ｂには、ベンダ名および型名ごとの（保証）消光比を示すデータ（たとえば図３参照）が記憶されている。ＣＰＵ２３８Ｂは、受信パワーモニタ２３７Ｂから出力された受信パワー情報をＣＰＵ２１０Ｂへ出力する。
【００４２】
ＣＰＵ２１０Ｂは、パケット受信部２５０Ｂから出力されたパケットに含まれる、第１光伝送装置２００Ａのプラガブルモジュール２３０Ａのベンダ名および型名を示す情報を取得する。そして、ＣＰＵ２１０Ｂは、ＥＥＰＲＯＭ２４０Ｂに記憶されたベンダ名および型名ごとの消光比を示すデータと、取得したベンダ名および型名を示す情報と、に基づいて、第１光伝送装置２００Ａのプラガブルモジュール２３０Ａの消光比を導出する。
【００４３】
また、ＣＰＵ２１０Ｂは、導出したプラガブルモジュール２３０Ａの消光比と、ＣＰＵ２３８Ｂから出力された受信パワー情報と、に基づいて、プラガブルモジュール２３０Ｂがプラガブルモジュール２３０Ａから受信した光信号のＯＭＡ値を算出する。たとえば、ＣＰＵ２１０Ｂは、下記（１）式によりＯＭＡ値［ｄＢｍ］を算出する。
【００４４】
【数１】
2018182647.tif 000003
【００４５】
上記（１）式において、Ｅｒは、プラガブルモジュール２３０Ａの消光比［ｄＢ］であり、たとえば下記（２）式により表すことができる。下記（２）式において、Ｐ1tはプラガブルモジュール２３０Ａが送信する光信号の最大パワーであり、Ｐ0tはプラガブルモジュール２３０Ａが送信する光信号の最小パワーである。ＣＰＵ２１０Ｂは、たとえば導出したプラガブルモジュール２３０Ａの消光比をＥｒとして用いる。
【００４６】
【数２】
2018182647.tif 000004
【００４７】
上記（１）式において、Ｐｆは、プラガブルモジュール２３０Ｂがプラガブルモジュール２３０Ａから受信した光信号の平均光パワー［ｄＢｍ］であり、たとえば下記（３）式により表すことができる。下記（３）式において、Ｐ1rはプラガブルモジュール２３０Ｂが受信した光信号の所定期間の最大パワーであり、Ｐ0rはプラガブルモジュール２３０Ｂが受信した光信号の所定期間の最小パワーである。ＣＰＵ２１０Ｂは、たとえば、ＣＰＵ２３８Ｂから出力された受信パワー情報に基づいてＰ1rおよびＰ0rを算出し、下記（３）式および導出したＰ1rおよびＰ0rに基づいてＰｆを算出する。
【００４８】
【数３】
2018182647.tif 000005
【００４９】
そして、ＣＰＵ２１０Ｂは、上記（１）式により算出したＯＭＡ値に基づく情報を、たとえばインタフェース２６０Ｂを介してユーザや他の通信装置等へ出力する。たとえば、ＣＰＵ２１０Ｂは、算出したＯＭＡ値を示すＯＭＡ情報を出力する。または、ＣＰＵ２１０Ｂは、算出したＯＭＡ値と所定のＯＭＡ閾値との比較を行い、ＯＭＡ閾値に対するＯＭＡ値のマージンを示すマージン情報を出力してもよい。または、ＣＰＵ２１０Ｂは、算出したＯＭＡ値とＯＭＡ閾値との比較を行い、ＯＭＡ値がＯＭＡ閾値未満である場合にＯＭＡ閾値未満アラームを出力してもよい。
【００５０】
または、ＣＰＵ２１０Ｂは、算出したＯＭＡ値とＯＭＡ閾値との比較を行い、ＯＭＡ閾値に対するＯＭＡ値のマージンが所定のマージン閾値未満である場合にマージン閾値未満アラームを出力してもよい。または、ＣＰＵ２１０Ｂは、これらの情報の組み合わせを出力してもよい。ＯＭＡ閾値は、たとえばＩＥＥＥに規定されたスタンダード値である（たとえば図３参照）。ＩＥＥＥはｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓの略である。
【００５１】
また、第１光伝送装置２００ＡのＡＰＣ部２３９ＡによるＡＰＣに異常が発生した場合に、第２光伝送装置２００ＢはＯＭＡ値に基づく情報出力をマスクしてもよい。たとえば、第１光伝送装置２００ＡのＣＰＵ２３８Ａは、ＡＰＣ部２３９ＡからＡＰＣ異常情報が出力されると、そのＡＰＣ異常情報をＣＰＵ２１０Ａへ出力する。ＣＰＵ２１０Ａは、ＣＰＵ２３８ＡからＡＰＣ異常情報が出力されると、そのＡＰＣ異常情報を含むＡＰＣ異常通知パケットを生成するようにパケット生成部２２０Ａを制御する。これにより、ＡＰＣ異常通知パケットが第２光伝送装置２００Ｂへ送信される。
【００５２】
第２光伝送装置２００ＢのＣＰＵ２１０Ｂは、パケット受信部２５０Ａから出力されたパケットがＡＰＣ異常通知パケットであった場合は、ＯＭＡ値に基づく情報の出力を停止する。これにより、第１光伝送装置２００ＡのＡＰＣ部２３９ＡでＡＰＣの異常が発生して第１光伝送装置２００Ａのベンダが保証する消光比が得られなくなった場合に、実際のＯＭＡ値とは異なるＯＭＡ値に基づく情報を出力することを回避することができる。
【００５３】
図１に示した第１光伝送装置１１０は、たとえば第１光伝送装置２００Ａにより実現することができる。この場合に、図１に示した送信部１１１は、たとえばＣＰＵ２１０Ａ、パケット生成部２２０Ａおよびプラガブルモジュール２３０Ａにより実現することができる。また、図１に示した取得部１１２は、たとえばＣＰＵ２１０Ａ、ＣＰＵ２３８ＡおよびＥＥＰＲＯＭ２４０Ａにより実現することができる。
【００５４】
図１に示した第２光伝送装置１２０は、たとえば第２光伝送装置２００Ｂにより実現することができる。この場合に、図１に示した受信部１２１は、たとえばプラガブルモジュール２３０Ｂ、パケット受信部２５０ＢおよびＣＰＵ２１０Ｂにより実現することができる。また、図２に示した算出部１２２は、たとえばＣＰＵ２１０Ｂにより実現することができる。
【００５５】
（実施の形態１にかかる第１光伝送装置のＥＥＰＲＯＭに記憶される情報）
図３は、実施の形態１にかかる第２光伝送装置のＥＥＰＲＯＭに記憶される情報の一例を示す図である。実施の形態１にかかる第２光伝送装置２００ＢのＥＥＰＲＯＭ２４０Ｂには、たとえば図３に示す消光比データ３１０およびＯＭＡ閾値３２０が記憶される。
【００５６】
消光比データ３１０においては、ベンダ名と型名の組み合わせごとに消光比［ｄＢ］が対応付けられている。消光比データ３１０の各消光比は、たとえば、ベンダが製品ごとに保証する最低の消光比であり、たとえばベンダによる実験やシミュレーションの結果に基づいて設定される。
【００５７】
たとえば、消光比データ３１０は、ベンダ名が“Ａ”であり型名が“Ｐａｒｔ＃ＡＡＡＡＡ”であるプラガブルモジュールの消光比は５［ｄＢ］であることを示している。また、消光比データ３１０は、ベンダ名が“Ｂ”であり型名が“Ｐａｒｔ＃ＢＢＢＢＢ”であるプラガブルモジュールの消光比は６［ｄＢ］であることを示している。また、消光比データ３１０は、ベンダ名が“Ｃ”であり型名が“Ｐａｒｔ＃ＣＣＣＣＣ”であるプラガブルモジュールの消光比は８．５［ｄＢ］であることを示している。
【００５８】
一例として、第１光伝送装置２００Ａのプラガブルモジュール２３０Ａは、ベンダ名が“Ｂ”であり型名が“Ｐａｒｔ＃ＢＢＢＢＢ”であるとする。この場合に、第１光伝送装置２００Ａは、ＣＰＵ２１０Ａの制御により、ベンダ名＝“Ｂ”および型名＝“Ｐａｒｔ＃ＢＢＢＢＢ”を示す情報を含むパケットを第２光伝送装置２００Ｂへ送信する。ベンダ名＝“Ｂ”および型名＝“Ｐａｒｔ＃ＢＢＢＢＢ”を示す情報は、一例としては、“Ｂ”および“Ｐａｒｔ＃ＢＢＢＢＢ”を連結した“Ｂ＿Ｐａｒｔ＃ＢＢＢＢＢ”とすることができる。ただし、連結順序や連結文字列（“＿”）はこれらに限らない。
【００５９】
第２光伝送装置２００ＢのＣＰＵ２１０Ｂは、第１光伝送装置２００Ａから受信したパケットから、ベンダ名＝“Ｂ”および型名＝“Ｐａｒｔ＃ＢＢＢＢＢ”を示す情報を取得する。そして、ＣＰＵ２１０Ｂは、ベンダ名＝“Ｂ”および型名＝“Ｐａｒｔ＃ＢＢＢＢＢ”をキーとしてＥＥＰＲＯＭ２４０Ｂの消光比データ３１０を参照することで、プラガブルモジュール２３０Ａの消光比として６［ｄＢ］を導出することができる。
【００６０】
ＯＭＡ閾値３２０は、ＯＭＡ値と比較することによりＯＭＡ値を評価するための閾値である。図３に示す例では、ＯＭＡ閾値３２０として、ＩＥＥＥに規定されたスタンダード値である−８．６［ｄＢ］がＥＥＰＲＯＭ２４０Ｂに記憶されている。ＣＰＵ２１０Ｂは、たとえば、導出した消光比および受信パワー情報に基づいて算出したＯＭＡ値と、ＥＥＰＲＯＭ２４０Ｂに記憶されたＯＭＡ閾値３２０と、の比較に基づく情報出力を行う。
【００６１】
（実施の形態１にかかる第１光伝送装置による処理）
図４は、実施の形態１にかかる第１光伝送装置による処理の一例を示すフローチャートである。実施の形態１にかかる第１光伝送装置２００Ａは、たとえば図４に示す各ステップを実行する。図４に示す各ステップは、たとえば第１光伝送装置２００Ａの装置起動を契機として開始される。まず、第１光伝送装置２００Ａは、自装置にプラガブルモジュール２３０Ａが実装されているか否かを判断し（ステップＳ４０１）、プラガブルモジュール２３０Ａが実装されるまで待つ（ステップＳ４０１：Ｎｏのループ）。ステップＳ４０１は、たとえばＣＰＵ２１０Ａにより実行される。
【００６２】
ステップＳ４０１において、プラガブルモジュール２３０Ａが実装されると（ステップＳ４０１：Ｙｅｓ）、第１光伝送装置２００Ａは、実装されたプラガブルモジュール２３０Ａからベンダ名および型名を読み出す（ステップＳ４０２）。ステップＳ４０２は、たとえば、ＣＰＵ２１０Ａがプラガブルモジュール２３０ＡのＣＰＵ２３８Ａを介してＥＥＰＲＯＭ２４０Ａからベンダ名および型名を読み出すことにより実行される。
【００６３】
つぎに、第１光伝送装置２００Ａは、ステップＳ４０２によって読み出したベンダ名および型名を示す情報を含むパケットを第２光伝送装置２００Ｂへ送信する（ステップＳ４０３）。ステップＳ４０３は、たとえば、ＣＰＵ２１０Ａがパケット生成部２２０Ａを制御することにより実行される。
【００６４】
つぎに、第１光伝送装置２００Ａは、プラガブルモジュール２３０ＡからＡＰＣ異常情報を収集する（ステップＳ４０４）。ステップＳ４０４は、たとえば、ＣＰＵ２１０ＡがＣＰＵ２３８Ａから出力されるＡＰＣ異常情報を監視することにより実行される。つぎに、第１光伝送装置２００Ａは、ステップＳ４０４によるＡＰＣ異常情報の収集結果に基づいて、ＡＰＣ部２３９ＡにおけるＡＰＣ異常があるか否かを判断する（ステップＳ４０５）。ステップＳ４０５は、たとえばＣＰＵ２１０Ａにより実行される。
【００６５】
ステップＳ４０５において、ＡＰＣ異常がない場合（ステップＳ４０５：Ｎｏ）は、第１光伝送装置２００Ａは、現在時刻が、ベンダ名および型名を示す情報を送信するための定期的な送信タイミングか否かを判断する（ステップＳ４０６）。ステップＳ４０６は、たとえば、ＣＰＵ２１０Ａが、第１光伝送装置２００Ａの内部時刻と、予め設定された定期的な送信タイミングと、を比較することにより実行される。定期的な送信タイミングでない場合（ステップＳ４０６：Ｎｏ）は、第１光伝送装置２００Ａは、ステップＳ４０４へ戻る。
【００６６】
ステップＳ４０６において、現在時刻が定期的な送信タイミングである場合（ステップＳ４０６：Ｙｅｓ）は、第１光伝送装置２００Ａは、ステップＳ４０７へ移行する。すなわち、第１光伝送装置２００Ａは、プラガブルモジュール２３０Ａのベンダ名および型名を示す情報を含むパケットを第２光伝送装置２００Ｂへ送信し（ステップＳ４０７）、ステップＳ４０４へ戻る。ステップＳ４０７は、たとえば、ＣＰＵ２１０Ａがパケット生成部２２０Ａを制御することにより実行される。
【００６７】
ステップＳ４０７において、第１光伝送装置２００Ａは、たとえばステップＳ４０２によって読み出し、ステップＳ４０３によって送信した情報を再度送信してもよい。または、第１光伝送装置２００Ａは、プラガブルモジュール２３０Ａのベンダ名および型名を再度読み出し、読み出したベンダ名および型名を示す情報を送信してもよい。
【００６８】
ステップＳ４０５において、ＡＰＣ異常がある場合（ステップＳ４０５：Ｙｅｓ）は、第１光伝送装置２００Ａは、ＡＰＣ異常通知パケットを第２光伝送装置２００Ｂへ送信し（ステップＳ４０８）、ステップＳ４０４へ戻る。
【００６９】
また、図４に示したステップＳ４０４，Ｓ４０５，Ｓ４０８を省いた処理としてもよい。この場合に、第１光伝送装置２００Ａは、ステップＳ４０３のつぎにステップＳ４０６へ移行する。
【００７０】
（実施の形態１にかかる第２光伝送装置による処理）
図５は、実施の形態１にかかる第２光伝送装置による処理の一例を示すフローチャートである。実施の形態１にかかる第２光伝送装置２００Ｂは、たとえば図５に示す各ステップを実行する。図５に示す各ステップは、たとえば第２光伝送装置２００Ｂの装置起動を契機として開始される。まず、第２光伝送装置２００Ｂは、第１光伝送装置２００Ａから、ベンダ名および型名を示す情報を含むパケットを受信したか否かを判断する（ステップＳ５０１）。ステップＳ５０１は、たとえば、ＣＰＵ２１０Ｂがプラガブルモジュール２３０Ｂから出力されたパケットを監視することにより実行される。
【００７１】
ステップＳ５０１において、ベンダ名および型名を示す情報を含むパケットを受信した場合（ステップＳ５０１：Ｙｅｓ）は、第２光伝送装置２００Ｂは、ＥＥＰＲＯＭ２４０Ｂから消光比データを読み出す（ステップＳ５０２）。ステップＳ５０２は、たとえば、ＣＰＵ２１０ＢがＣＰＵ２３８Ｂを介してＥＥＰＲＯＭ２４０Ｂから消光比データを読み出すことにより実行される。
【００７２】
つぎに、第２光伝送装置２００Ｂは、ステップＳ５０１において受信したパケットに含まれる情報が示すベンダ名および型名に対応する消光比を、ステップＳ５０２により読み出した消光比データから導出する（ステップＳ５０３）。ステップＳ５０３は、たとえばＣＰＵ２１０Ｂがベンダ名および型名をキーとして消光比データを参照することにより実行される。
【００７３】
つぎに、第２光伝送装置２００Ｂは、第２光伝送装置２００Ｂが第１光伝送装置２００Ａから受信した光信号の受信パワーを示す受信パワー情報を収集する（ステップＳ５０４）。ステップＳ５０４は、たとえば、ＣＰＵ２１０ＢがＣＰＵ２３８Ｂを介して受信パワーモニタ２３７Ｂからの受信パワー情報を収集することにより実行される。
【００７４】
つぎに、第２光伝送装置２００Ｂは、ステップＳ５０３により導出した消光比と、ステップＳ５０４により収集した受信パワー情報と、に基づくＯＭＡ値を算出する（ステップＳ５０５）。ステップＳ５０５は、たとえば、ＣＰＵ２１０Ｂが消光比と受信パワー情報と上記（１）式および上記（３）式とに基づく計算を行うことにより実行される。
【００７５】
つぎに、第２光伝送装置２００Ｂは、ＥＥＰＲＯＭ２４０ＢからＯＭＡ閾値を読み出す（ステップＳ５０６）。ステップＳ５０２は、たとえば、ＣＰＵ２１０ＢがＣＰＵ２３８Ｂを介してＥＥＰＲＯＭ２４０ＢからＯＭＡ閾値を読み出すことにより実行される。実施の形態１にかかる第２光伝送装置２００Ｂが読み出すＯＭＡ閾値は、たとえばＩＥＥＥに規定されたスタンダード値（一例としては−８．６［ｄＢ］）である。
【００７６】
つぎに、第２光伝送装置２００Ｂは、ステップＳ５０５により算出したＯＭＡ値と、ステップＳ５０６により読み出したＯＭＡ閾値と、の比較に基づく情報出力を行い（ステップＳ５０７）、ステップＳ５０１へ戻る。ステップＳ５０７は、たとえばＣＰＵ２１０Ｂがインタフェース２６０Ｂを制御することにより実行される。ステップＳ５０７による情報出力については後述する（たとえば図６参照）。
【００７７】
ステップＳ５０１において、ベンダ名および型名を示す情報を含むパケットを受信していない場合（ステップＳ５０１：Ｎｏ）は、第２光伝送装置２００Ｂは、第１光伝送装置２００ＡからＡＰＣ異常通知パケットを受信したか否かを判断する（ステップＳ５０８）。ステップＳ５０８は、たとえば、ＣＰＵ２１０Ｂがプラガブルモジュール２３０Ｂから出力されたパケットを監視することにより実行される。
【００７８】
ステップＳ５０８において、ＡＰＣ異常通知パケットを受信していない場合（ステップＳ５０８：Ｎｏ）は、第２光伝送装置２００Ｂは、ステップＳ５０１へ戻る。ＡＰＣ異常通知パケットを受信した場合（ステップＳ５０８：Ｙｅｓ）は、第２光伝送装置２００Ｂは、一連の処理を終了する。これにより、第１光伝送装置２００ＡにおいてＡＰＣ異常が発生した場合はステップＳ５０２〜Ｓ５０７へ移行せず、ＯＭＡ値に基づく情報出力を停止することができる。また、この場合に、実行済みのステップＳ５０２〜Ｓ５０７による情報出力が継続している（たとえば画面表示中）場合は、第１光伝送装置２００Ａは、その情報出力を停止する処理（たとえば画面表示の停止やマスク）を行ってもよい。
【００７９】
ステップＳ５０６，Ｓ５０７に代えて、またはステップＳ５０６，Ｓ５０７に加えて、第２光伝送装置２００Ｂは、ステップＳ５０５によって算出したＯＭＡ値を示すＯＭＡ情報を出力する処理を行ってもよい。また、図５に示したステップＳ５０８を省いた処理としてもよい。このとき、ステップＳ５０１においてベンダ名および型名を示す情報を含むパケットを受信していない場合に第２光伝送装置２００ＢはステップＳ５０１へ戻る。
【００８０】
（実施の形態１にかかる第２光伝送装置による情報出力の処理）
図６は、実施の形態１にかかる第２光伝送装置による情報出力処理の一例を示すフローチャートである。第２光伝送装置２００Ｂは、図５に示したステップＳ５０７において、たとえば図６に示す各ステップを実行する。
【００８１】
まず、第２光伝送装置２００Ｂは、ＯＭＡ値のＯＭＡ閾値に対するマージンを算出する（ステップＳ６０１）。ステップＳ６０１は、たとえば、ＣＰＵ２１０Ｂが、図５に示したステップＳ５０５により算出したＯＭＡ値と、ステップＳ５０６により読み出したＯＭＡ閾値と、の差分（たとえばＯＭＡ値−ＯＭＡ閾値）を算出することにより実行される。
【００８２】
つぎに、第２光伝送装置２００Ｂは、ステップＳ６０１によって算出したマージンが、所定のマージン閾値未満であるか否かを判断する（ステップＳ６０２）。ステップＳ６０２は、たとえば、ＣＰＵ２１０Ｂが、算出したマージンとマージン閾値とを比較することにより実行される。マージン閾値は、たとえば第２光伝送装置２００Ｂのメモリ（一例としてはＥＥＰＲＯＭ２４０Ｂ）に記憶されている。
【００８３】
ステップＳ６０２において、算出したマージンがマージン閾値未満である場合（ステップＳ６０２：Ｙｅｓ）は、第２光伝送装置２００Ｂは、ステップＳ６０３へ移行する。すなわち、第２光伝送装置２００Ｂは、ＯＭＡ値のＯＭＡ閾値に対するマージンがマージン閾値未満になったことを示すマージン閾値未満アラームを出力し（ステップＳ６０３）、一連の情報出力処理を終了する。ステップＳ６０３は、たとえばＣＰＵ２１０Ｂがインタフェース２６０Ｂを制御することにより実行される。
【００８４】
ステップＳ６０２において、算出したマージンがマージン閾値以上である場合（ステップＳ６０２：Ｎｏ）は、第２光伝送装置２００Ｂは、ＯＭＡ値がＯＭＡ閾値未満であるか否かを判断する（ステップＳ６０４）。ステップＳ６０４は、たとえば、ＣＰＵ２１０ＢがＯＭＡ値とＯＭＡ閾値とを比較することにより実行される。ＯＭＡ値がＯＭＡ閾値未満である場合（ステップＳ６０４：Ｙｅｓ）は、第２光伝送装置２００Ｂは、ＯＭＡ値がＯＭＡ閾値未満になったことを示すＯＭＡ閾値未満アラームを出力し（ステップＳ６０５）、一連の情報出力処理を終了する。ステップＳ６０５は、たとえばＣＰＵ２１０Ｂがインタフェース２６０Ｂを制御することにより実行される。
【００８５】
ステップＳ６０４において、ＯＭＡ値がＯＭＡ閾値以上である場合（ステップＳ６０４：Ｎｏ）は、第２光伝送装置２００Ｂは、算出したＯＭＡ値およびマージンを示す情報を出力し（ステップＳ６０６）、一連の情報出力処理を終了する。ステップＳ６０６において、第２光伝送装置２００Ｂは、ＯＭＡ値およびマージンのいずれかを示す情報を出力してもよい。ステップＳ６０６は、たとえばＣＰＵ２１０Ｂがインタフェース２６０Ｂを制御することにより実行される。
【００８６】
図６に示した処理は各種の変形が可能である。たとえば、ステップＳ６０３の後にステップＳ６０４へ移行する処理としてもよい。また、ステップＳ６０５の後にステップＳ６０６へ移行する処理としてもよい。また、ステップＳ６０２，Ｓ６０３とステップＳ６０４，Ｓ６０５との順序を入れ替えた処理としてもよい。また、ステップＳ６０１〜Ｓ６０３を省いた処理としてもよい。また、ステップＳ６０４，Ｓ６０５を省いた処理としてもよい。また、ステップＳ６０６を省いた処理としてもよい。
【００８７】
（実施の形態１にかかるＯＭＡのスタンダード値）
図７は、実施の形態１にかかるＯＭＡのスタンダード値の一例を示す図である。図７に示すスペック表７００は、１０［Ｇｂｐｓ］以上のイーサネットに対応するプラガブルモジュールについてＩＥＥＥ  ８０２．３ｂａに規定されたスペックである。スペック表７００の項目７０１に示すように、ＯＭＡ値の最小値（Ｍｉｎ．）として−８．６［ｄＢｍ］が規定されており、ＯＭＡ値の最大値（Ｍａｘ．）として４．５［ｄＢｍ］が規定されている。このＯＭＡ値の範囲は、たとえばＢＥＲ＝１×１０-12（１Ｅ−１２）が保証されるＯＭＡ値の範囲である。ＢＥＲはＢｉｔ  Ｅｒｒｏｒ  Ｒａｔｅ（ビット誤り率）の略である。
【００８８】
第２光伝送装置２００Ｂは、上述したＯＭＡ閾値として、スペック表７００の項目７０１に規定されたＯＭＡ値の最小値（Ｍｉｎ．）＝−８．６［ｄＢｍ］を用いる。これにより、管理者は、第１光伝送装置２００Ａから第２光伝送装置２００Ｂへの光伝送について、ＩＥＥＥ  ８０２．３ｂａに規定されたスペックを満たすか否かや、同スペックに対するマージンがどれくらいあるかを判定することが可能になる。
【００８９】
なお、スペック表７００には、項目７０２に示すように、参考値（ｉｎｆｏｒｍａｔｉｖｅ）として、平均パワー（Ａｖｅｒａｇｅ  ｒｅｃｅｉｖｅ  ｐｏｗｅｒ）の範囲が規定されている。たとえば、スペック表７００には、平均パワーの最小値（Ｍｉｎ．）として−１０．６［ｄＢｍ］が規定されており、平均パワーの最大値（Ｍａｘ．）として４．５［ｄＢｍ］が規定されている。
【００９０】
（実施の形態１にかかる伝送システムにおける消光比が大きい光信号の伝送）
図８は、実施の形態１にかかる伝送システムにおける消光比が大きい光信号の伝送の一例を示す図である。図８において、図２に示した部分と同様の部分については同一の符号を付して説明を省略する。図８においては、図２に示した各構成のうちプラガブルモジュール２３０Ａ、プラガブルモジュール２３０Ｂおよび光伝送路２１を示している。また、図８に示す例では、プラガブルモジュール２３０Ａが送信する光信号の消光比が比較的大きい場合について説明する。
【００９１】
波形８１１は、プラガブルモジュール２３０Ａからプラガブルモジュール２３０Ｂへ伝送される光信号であって、プラガブルモジュール２３０Ａの送信端８０１における光信号（伝送前）の波形である。波形８１２は、プラガブルモジュール２３０Ａからプラガブルモジュール２３０Ｂへ伝送される光信号であって、プラガブルモジュール２３０Ｂの受信端８０２における光信号（伝送後）の波形である。
【００９２】
図８に示す例では、送信端８０１の波形８１１における最大のパワーＰ1tと最小のパワーＰ0tとの差が大きく、消光比が比較的大きい。この場合に、光信号は、光伝送路２１において伝送損失が発生して平均光パワー（Ｐｆ）が低下するが、消光比は比較的大きいままである。したがって、算出されるＯＭＡ値はたとえばＯＭＡ閾値より大きくなり（ＯＭＡ値＞−８．６［ｄＢ］）となり受信可と判断される。図８に示したように、たとえば、送信端８０１の消光比が高く波形８１１のアイ（Ｅｙｅ）があいていれば、受信端８０２における受信レベルが低くても正常に信号受信が可能である。
【００９３】
（実施の形態１にかかる伝送システムにおける消光比が小さい光信号の伝送）
図９は、実施の形態１にかかる伝送システムにおける消光比が小さい光信号の伝送の一例を示す図である。図９において、図８に示した部分と同様の部分については同一の符号を付して説明を省略する。図９に示す例では、プラガブルモジュール２３０Ａが送信する光信号の消光比が比較的小さい場合について説明する。
【００９４】
図９に示す例では、送信端８０１の波形８１１における最大のパワーＰ1tと最小のパワーＰ0tとの差が小さく、消光比が比較的小さい。この場合に、光信号は、光伝送路２１において伝送損失が発生して平均光パワー（Ｐｆ）が低下するが、消光比は比較的小さいままである。したがって、算出されるＯＭＡ値はたとえばＯＭＡ閾値より小さくなり（ＯＭＡ値＜−８．６［ｄＢ］）となり受信不可と判断される。図９に示したように、たとえば、送信端８０１の消光比が低く波形８１１のアイがあいていなければ、受信端８０２における受信レベルが高くても正常に信号受信が可能である。
【００９５】
図８，図９に示したように、消光比によって受信可と受信不可の場合が発生し得る。これに対して、ＯＭＡ値は、平均光パワーに加えて消光比に基づいて算出される指標である。このため、ＯＭＡ値は、受信端８０２での平均光パワーが同程度であっても、消光比が高ければ良い値（高い値）となり、消光比が小さければ悪い値（小さい値）となる。したがって、ＯＭＡ値を用いることで、第１光伝送装置２００Ａから第２光伝送装置２００Ｂへの光伝送の可否やマージンの大きさを判断することが可能になる。
【００９６】
このように、実施の形態１によれば、第２光伝送装置２００Ｂが、第１光伝送装置２００Ａが光信号の送信に用いるプラガブルモジュール２３０Ａの製品識別子を第１光伝送装置２００Ａから受信することができる。また、第２光伝送装置２００Ｂが、光伝送モジュールの製品識別子ごとに消光比を示す消光比データ３１０と、受信した製品識別子と、に基づいてプラガブルモジュール２３０Ａの消光比を導出することができる。そして、第２光伝送装置２００Ｂが、導出した消光比と、第１光伝送装置２００Ａからの光信号の受信パワーの自装置による測定結果と、に基づくＯＭＡ値を算出することができる。これにより、たとえば波形モニタ等の機器を用いなくても消光比を導出し、導出した消光比に基づくＯＭＡ値を算出することができる。
【００９７】
また、算出したＯＭＡ値と、ＩＥＥＥのスタンダード値を用いたＯＭＡ閾値と、の比較に基づく情報を出力することができる。これにより、第１光伝送装置２００Ａから第２光伝送装置２００Ｂへの光伝送について、ＯＭＡ値がＩＥＥＥのスタンダード値に基づく基準を満たすか否かや、ＯＭＡ値のＩＥＥＥのスタンダード値に対するマージンの大きさを判定することが可能になる。
【００９８】
また、第２光伝送装置２００Ｂが、第１光伝送装置２００Ａによる光信号のパワー制御の異常を示すＡＰＣ異常通知パケットを受信した場合に、ＯＭＡ値に基づく情報の出力を停止することができる。これにより、たとえば経年劣化や故障によりプラガブルモジュール２３０Ａの消光比が消光比データ３１０の通りでなくなった場合に、実際の消光比と異なる消光比から算出したＯＭＡ値に基づく情報を出力することを回避できる。
【００９９】
なお、消光比データ、ＯＭＡ閾値およびマージン閾値等をＥＥＰＲＯＭ２４０Ｂに記憶しておく構成について説明したが、これらの情報の記憶場所はＥＥＰＲＯＭ２４０Ｂに限らない。たとえば、これらの各情報は、ＥＥＰＲＯＭ２４０Ｂとは異なる第２光伝送装置２００Ｂのメモリや、第２光伝送装置２００Ｂがアクセス可能な外部のメモリに記憶されていてもよい。
【０１００】
また、製品識別子としてベンダ名および型名の組み合わせを用いる構成について説明したが、このような構成に限らない。たとえば、製品識別子としてさらにリビジョンや他の情報を組み合わせてもよい。また、製品識別子として型名のみを用いてもよい。
【０１０１】
（実施の形態２）
実施の形態２について、実施の形態１と異なる部分について説明する。実施の形態１においてはＯＭＡ閾値としてＩＥＥＥのスタンダード値を用いる構成について説明したが、実施の形態２においてはＯＭＡ閾値としてモジュールに設定された任意の値を用いる構成について説明する。
【０１０２】
（実施の形態２にかかる第２光伝送装置のＥＥＰＲＯＭに記憶される情報）
図１０は、実施の形態２にかかる第２光伝送装置のＥＥＰＲＯＭに記憶される情報の一例を示す図である。図１０において、図３に示した部分と同様の部分については同一の符号を付して説明を省略する。実施の形態２にかかる第２光伝送装置２００ＢのＥＥＰＲＯＭ２４０Ｂには、たとえば図１０に示す消光比データ３１０およびＯＭＡ閾値３２０が記憶される。図１０に示す例では、ＯＭＡ閾値３２０として、ＩＥＥＥに規定されたスタンダード値よりも高い−７．０［ｄＢ］がＥＥＰＲＯＭ２４０Ｂに記憶されている。
【０１０３】
このようにＩＥＥＥに規定されたスタンダード値よりも高いＯＭＡ閾値３２０を用いることにより、ＩＥＥＥに規定されたスタンダード値を用いる場合よりも厳しい判定を行うことが可能になる。このＯＭＡ閾値３２０は、たとえば、プラガブルモジュール２３０Ａやプラガブルモジュール２３０Ｂのベンダが任意に設定した閾値である。
【０１０４】
（実施の形態２にかかる第２光伝送装置による処理）
図１１は、実施の形態２にかかる第２光伝送装置による処理の一例を示すフローチャートである。実施の形態２にかかる第２光伝送装置２００Ｂは、たとえば図１に示す各ステップを実行する。図１１に示すステップＳ１１０１〜Ｓ１１０８は、図５に示したステップＳ５０１〜Ｓ５０８と同様である。ただし、ステップＳ１１０６において、第２光伝送装置２００Ｂは、ＯＭＡ閾値として、ベンダによって任意に設定されたモジュール設定値（一例としては−７．０［ｄＢ］）を読み出す。
【０１０５】
このように、実施の形態２によれば、実施の形態１と同様に、たとえば波形モニタ等の機器を用いなくても消光比を導出し、導出した消光比に基づくＯＭＡ値を算出することができる。また、算出したＯＭＡ値と、第１光伝送装置２００Ａに設定された任意の値を用いたＯＭＡ閾値と、の比較に基づく情報を出力することができる。これにより、第１光伝送装置２００Ａから第２光伝送装置２００Ｂへの光伝送について、ＯＭＡ値がベンダ基準を満たすか否かや、ＯＭＡ値のベンダ基準に対するマージンの大きさを判定することが可能になる。
【０１０６】
また、ＯＭＡ閾値のモジュール設定値として、ＩＥＥＥのスタンダード値（たとえば−８．６［ｄＢ］）より高い−７．０［ｄＢ］を用いる構成について説明したが、ＯＭＡ閾値のモジュール設定値はこれに限らず各種の値を用いることができる。たとえば、ＯＭＡ閾値のモジュール設定値として、ＩＥＥＥのスタンダード値（たとえば−８．６［ｄＢ］）より低い値（一例としては−９．０［ｄＢ］）を用いる構成としてもよい。
【０１０７】
（実施の形態３）
実施の形態３について、実施の形態１，２と異なる部分について説明する。実施の形態３においては、上述した製品情報として、消光比を示す消光比情報を用いる構成について説明する。消光比情報は、たとえば消光比を直接的に示す数値（ｄＢ値）などであってもよいし、消光比の範囲を示すインデックス等の情報であってもよい。
【０１０８】
製品情報が消光比を示す数値（ｄＢ値）である場合は、第２光伝送装置１２０の算出部１２２は、その情報の数値を読み取ることにより消光比を導出する。また、製品情報が消光比を示すインデックスである場合は、算出部１２２は、インデックスと消光比の対応情報を取得する。この対応情報は、第２光伝送装置１２０のメモリに記憶されていてもよいし、外部の記憶装置に記憶されていてもよい。算出部１２２は、取得した対応情報において、受信部１２１から出力されたインデックスと対応付けられている消光比を特定することにより消光比を導出する。
【０１０９】
（実施の形態３にかかる第１光伝送装置のＥＥＰＲＯＭに記憶される情報）
図１２は、実施の形態３にかかる第１光伝送装置のＥＥＰＲＯＭに記憶される情報の一例を示す図である。実施の形態３にかかる第１光伝送装置２００ＡのＥＥＰＲＯＭ２４０Ａには、たとえば図１２に示す出荷時消光比データ１２１０が記憶される。出荷時消光比データ１２１０は、プラガブルモジュール２３０Ａの出荷時における消光比を示すデータ（一例としては９［ｄＢ］）である。
【０１１０】
また、出荷時消光比データ１２１０は、たとえば、プラガブルモジュール２３０Ａと同じ製品のうち、第１光伝送装置２００Ａに実装されるプラガブルモジュール２３０Ａの個体について測定された消光比を示す情報である。たとえば、プラガブルモジュール２３０Ａのベンダは、製造したプラガブルモジュール２３０Ａの個体ごとに消光比を測定し、測定した消光比を示す出荷時消光比データ１２１０をプラガブルモジュール２３０Ａの各個体のＥＥＰＲＯＭ２４０Ａに記憶させる。
【０１１１】
第１光伝送装置２００Ａは、上述したベンダ名および型名を示す情報を含むパケットに代えて、ＥＥＰＲＯＭ２４０Ａに記憶された出荷時消光比データ１２１０を含むパケットを第２光伝送装置２００Ｂへ送信する。第２光伝送装置２００Ｂは、第１光伝送装置２００Ａから受信したパケットに含まれる出荷時消光比データ１２１０に基づいてプラガブルモジュール２３０Ｂの消光比を導出し、導出した消光比に基づいてＯＭＡ値を算出する。
【０１１２】
（実施の形態３にかかる第１光伝送装置による処理）
図１３は、実施の形態３にかかる第１光伝送装置による処理の一例を示すフローチャートである。実施の形態３にかかる第１光伝送装置２００Ａは、たとえば図１３に示す各ステップを実行する。図１３に示す各ステップは、たとえば第１光伝送装置２００Ａの装置起動を契機として開始される。図１３に示すステップＳ１３０１は、図４に示したステップＳ４０１と同様である。
【０１１３】
ステップＳ１３０１において、プラガブルモジュール２３０Ａが実装されると（ステップＳ１３０１：Ｙｅｓ）、第１光伝送装置２００Ａは、実装されたプラガブルモジュール２３０Ａから出荷時消光比データを読み出す（ステップＳ１３０２）。ステップＳ１３０２は、たとえば、ＣＰＵ２１０Ａがプラガブルモジュール２３０ＡのＣＰＵ２３８Ａを介してＥＥＰＲＯＭ２４０Ａから出荷時消光比データを読み出すことにより実行される。
【０１１４】
つぎに、第１光伝送装置２００Ａは、ステップＳ１３０２によって読み出した出荷時消光比データを含むパケットを第２光伝送装置２００Ｂへ送信する（ステップＳ１３０３）。ステップＳ１３０３は、たとえば、ＣＰＵ２１０Ａがパケット生成部２２０Ａを制御することにより実行される。
【０１１５】
図１３に示すステップＳ１３０４〜Ｓ１３０８は、図４に示したステップＳ４０４〜Ｓ４０８と同様である。ただし、ステップＳ１３０７において、第１光伝送装置２００Ａは、プラガブルモジュール２３０Ａの出荷時消光比データを含むパケットを第２光伝送装置２００Ｂへ送信する。
【０１１６】
（実施の形態３にかかる第２光伝送装置による処理）
図１４は、実施の形態３にかかる第２光伝送装置による処理の一例を示すフローチャートである。実施の形態３にかかる第２光伝送装置２００Ｂは、たとえば図１４に示す各ステップを実行する。図１４に示す各ステップは、たとえば第２光伝送装置２００Ｂの装置起動を契機として開始される。まず、第２光伝送装置２００Ｂは、第１光伝送装置２００Ａから、出荷時消光比データを含むパケットを受信したか否かを判断する（ステップＳ１４０１）。ステップＳ１４０１は、たとえば、ＣＰＵ２１０Ｂがプラガブルモジュール２３０Ｂから出力されたパケットを監視することにより実行される。
【０１１７】
ステップＳ１４０１において、出荷時消光比データを含むパケットを受信した場合（ステップＳ１４０１：Ｙｅｓ）は、第２光伝送装置２００Ｂは、ステップＳ１４０２へ移行する。図１４に示すステップＳ１４０２〜Ｓ１４０６は、図５に示したステップＳ５０４〜Ｓ５０８と同様である。
【０１１８】
ただし、ステップＳ１４０３において、第２光伝送装置２００Ｂは、ステップＳ１４０１において受信したパケットに含まれる出荷時消光比データが示す消光比と、ステップＳ１４０２により収集した受信パワー情報と、に基づくＯＭＡ値を算出する。また、ステップＳ１４０４において第２光伝送装置２００Ｂが読み出すＯＭＡ閾値は、実施の形態１のようにＩＥＥＥに規定されたスタンダード値でもよいし、実施の形態２のようにモジュール設定値でもよい。
【０１１９】
このように、実施の形態３によれば、製品情報として出荷時消光比データ１２１０を用いることで、実施の形態１，２と同様に、たとえば波形モニタ等の機器を用いなくても消光比を導出し、導出した消光比に基づくＯＭＡ値を算出することができる。また、出荷時消光比データ１２１０として、プラガブルモジュール２３０Ａの個体について測定された消光比を示す情報を用いることで、プラガブルモジュール２３０Ａの個体差を考慮した正確なＯＭＡ値を算出することができる。
【０１２０】
ただし、出荷時消光比データ１２１０は、プラガブルモジュール２３０Ａの個体について測定された消光比を示す情報に限らず、プラガブルモジュール２３０Ａの製品についてベンダ等によって保証された消光比を示す情報であってもよい。
【０１２１】
（実施の形態４）
実施の形態４について、実施の形態１〜３と異なる部分について説明する。実施の形態４においては、光信号の送信側の第１光伝送装置１１０においてＯＭＡ値を算出する構成について説明する。
【０１２２】
（実施の形態４にかかる光伝送システム）
図１５は、実施の形態４にかかる光伝送システムの一例を示す図である。図１５において、図１に示した部分と同様の部分については同一の符号を付して説明を省略する。図１５に示すように、実施の形態４にかかる第１光伝送装置１１０は、図１に示した構成に加えて、受信部１５１１と、算出部１５１２と、を備える。また、実施の形態４にかかる第２光伝送装置１２０は、図１に示した算出部１２２に代えて送信部１５２１を備える。
【０１２３】
また、第２光伝送装置１２０の受信部１２１は、第１光伝送装置１１０からの光信号の受信パワーを測定し、測定した受信パワーを送信部１５２１へ通知する。送信部１５２１は、受信部１２１から通知された受信パワーを示す受信パワー情報を第１光伝送装置１１０へ送信する。送信部１５２１による受信パワー情報の送信には、光通信、電気通信、無線通信など各種の通信を用いることができる。一例としては、送信部１５２１による受信パワー情報の送信には、図２に示した第２光伝送装置２００Ｂから第１光伝送装置２００Ａへの光信号の送信を用いることができる。
【０１２４】
第１光伝送装置１１０の受信部１５１１は、第２光伝送装置１２０から送信された受信パワー情報を受信し、受信した受信パワー情報を算出部１５１２へ出力する。取得部１１２は、取得した製品情報を算出部１５１２へ出力する。実施の形態４にかかる製品情報は、上述した製品識別子であってもよいし、上述した消光比を示す情報であってもよい。
【０１２５】
算出部１５１２は、受信部１５１１から出力された受信パワー情報が示す受信パワーと、取得部１１２から出力された製品情報と、に基づいてＯＭＡ値を算出する。算出部１５１２による受信パワーと製品情報とに基づくＯＭＡ値の算出は、上述した算出部１２２による受信パワーと製品情報とに基づくＯＭＡ値の算出と同様である。
【０１２６】
第２光伝送装置１２０の送信部１５２１は、たとえば図２に示したＣＰＵ２１０Ｂ、パケット生成部２２０Ｂおよびプラガブルモジュール２３０Ｂにより実現することができる。第１光伝送装置１１０の受信部１５１１は、たとえば図２に示したプラガブルモジュール２３０Ａ、パケット受信部２５０ＡおよびＣＰＵ２１０Ａにより実現することができる。第１光伝送装置１１０の算出部１５１２は、たとえば図２に示したＣＰＵ２１０Ａにより実現することができる。
【０１２７】
このように、実施の形態４によれば、第１光伝送装置１１０が、自装置に搭載された光伝送モジュールに関する製品情報を取得し、光信号の受信パワーの第２光伝送装置１２０による測定結果を受信することができる。また、第１光伝送装置１１０が、取得した情報に基づいて導出した消光比と、受信した測定結果と、に基づくＯＭＡ（光変調振幅）値を算出することができる。
【０１２８】
たとえば、第１光伝送装置２００Ａが、自装置が送信する光信号の送信に用いるプラガブルモジュール２３０Ａの製品識別子を取得し、光信号の受信パワーの第２光伝送装置１２０による測定結果を受信することができる。また、第１光伝送装置２００Ａが、取得した製品識別子と消光比データ３１０に基づいて導出した消光比と、受信した測定結果と、に基づくＯＭＡ値を算出することができる。これにより、たとえば波形モニタ等の機器を用いなくても消光比を導出し、消光比に基づくＯＭＡ値を算出することができる。
【０１２９】
または、第１光伝送装置２００Ａが、自装置が送信する光信号の送信に用いるプラガブルモジュール２３０Ａの消光比を示す情報を取得し、光信号の受信パワーの第２光伝送装置１２０による測定結果を受信することができる。また、第１光伝送装置２００Ａが、取得した情報が示す消光比と、受信した測定結果と、に基づくＯＭＡ値を算出することができる。これにより、たとえば波形モニタ等の機器を用いなくても消光比を導出し、導出した消光比に基づくＯＭＡ値を算出することができる。
【０１３０】
また、上述した各実施の形態において、第１光伝送装置１１０または第２光伝送装置１２０によってＯＭＡ値を算出する構成について説明したが、ＯＭＡ値の算出は第１光伝送装置１１０および第２光伝送装置１２０と異なる通信装置によって行ってもよい。たとえば、この通信装置は、第１光伝送装置１１０に搭載された光伝送モジュールに関する製品情報を第１光伝送装置１１０から受信する。また、この通信装置は、第１光伝送装置１１０からの光信号の受信パワーの第２光伝送装置１２０による測定結果を第２光伝送装置１２０から受信する。そして、この通信装置は、受信した情報に基づいて導出した消光比と、受信した測定結果と、に基づく光変調振幅を算出する。
【０１３１】
以上説明したように、光伝送装置によれば、簡易な構成により光変調振幅を算出することができる。
【０１３２】
たとえば、同じ規格に準拠した１０ＧＥや１００ＧＥの光モジュールであっても、送信側の消光比は各モジュールベンダの思想や採用技術によって大きく差がある。このため、受信側で同一の平均光受信レベルであっても片方は受信可能、もう片方は受信できないというように結果が異なる可能性があり、平均光受信レベルだけで受信可否やマージン量を判断できず、ＯＭＡでの判定を要する。
【０１３３】
しかしながら、ＯＭＡでの受信可否やマージン量の判断を行うためには、送信側の消光比の測定と受信パワーの測定とを要する。受信パワーは低価格で入手性も高い光パワーメータや光モジュール内蔵のパワーモニタ機能を使用することが可能であるが、送信側の消光比を知るには、高価な測定器（波形モニタ等）を接続し測定することを要する。そして、伝送装置内に消光比の測定機能を内蔵することはコストやスペースの問題で困難である。また、１００［Ｇｂｐｓ］の信号では複数レーンの信号がＷＤＭ（Ｗａｖｅｌｅｎｇｔｈ  Ｄｉｖｉｓｉｏｎ  Ｍｕｌｔｉｐｌｅｘｉｎｇ：波長分割多重）により多重されている場合もある。このため、消光比の測定には、ＷＤＭデカプラ（ｄｅ−ｃｏｕｐｌｅｒ）等を要し、さらに消光比の測定に困難が伴う。
【０１３４】
また、光通信装置に上述のプラガブルモジュールが実装されて運用される前に、運用開始前に問題なく受信可能であるか、マージンが十分あるか等の確認が行われる。このとき、消光比の測定のための波形モニタ等の専用測定器やＷＤＭデカプラ等が準備できない場合には、ＩＥＥＥ規格上の参考値である光受信レベルのみによる判定やアラームの有無などでの判断が行われることになる。
【０１３５】
また、光受信レベルは参考値でありモジュールベンダが保証する値でないため、ＯＭＡを考慮しておらず正確な受信可否判断、マージン量の判断が行えていない。これらにより、消光比が悪くＯＭＡで十分なマージンを確保できず温度や経年での変動により安定したサービスの提供に問題が出る可能性がある。また、消光比が十分よく、問題なく受信できるのに平均受信レベルから受信不可と判断し送信モジュールをより高額な長距離対応モジュールに変更する等の問題が発生する可能性もある。
【０１３６】
また、従来、運用中に受信可能な状態であるかやマージンが十分あるかを確認するには運用中のサービスを一旦停止し、たとえば光ファイバを抜いて消光比を測定することを要する。このため、運用中の受信可否やマージンの判断はほぼ困難であり、ファイバや通信設備の経年劣化による光受信レベルの低下などに対し適切に事前アラームを出力することができないという問題がある。
【０１３７】
これに対して、上述した各実施の形態によれば、高価な測定器（波形モニタ等）を用いなくても、第１光伝送装置１１０および第２光伝送装置１２０において得られる情報を用いて消光比を導出し、ＯＭＡ値を算出することができる。また、光伝送の運用中においても消光比を導出し、ＯＭＡ値を算出することができる。
【０１３８】
上述した各実施の形態に関し、さらに以下の付記を開示する。
【０１３９】
（付記１）他の光伝送装置からの光信号を受信する光伝送装置であって、
前記他の光伝送装置に搭載された光伝送モジュールに関する製品情報を前記他の光伝送装置から受信する受信部と、
前記受信部によって受信された前記製品情報に基づいて導出した消光比と、前記光信号の受信パワーの自装置による測定結果と、に基づく光変調振幅を算出する算出部と、
を備えることを特徴とする光伝送装置。
【０１４０】
（付記２）前記製品情報は、前記他の光伝送装置が前記光信号の送信に用いる光伝送モジュールの製品識別子であり、
前記算出部は、光伝送モジュールの製品識別子ごとに消光比を示す対応情報と、前記受信部によって受信された前記製品識別子と、に基づいて導出した前記消光比および前記測定結果に基づく前記光変調振幅を算出する、
ことを特徴とする付記１に記載の光伝送装置。
【０１４１】
（付記３）前記製品情報は、前記他の光伝送装置が前記光信号の送信に用いる光伝送モジュールの消光比を示す情報であり、
前記算出部は、前記受信部によって受信された前記製品情報が示す前記消光比および前記測定結果に基づく前記光変調振幅を算出する、
ことを特徴とする付記１に記載の光伝送装置。
【０１４２】
（付記４）前記消光比を示す情報は、前記光伝送モジュールの個体について測定された消光比を示す情報であることを特徴とする付記３に記載の光伝送装置。
【０１４３】
（付記５）前記消光比を示す情報は、前記光伝送モジュールの製品について保証された消光比を示す情報であることを特徴とする付記３に記載の光伝送装置。
【０１４４】
（付記６）前記受信部は、前記他の光伝送装置による前記光信号のパワー制御の異常を示す情報を受信し、
前記算出部は、算出した前記光変調振幅に基づく情報を出力し、前記受信部によって前記異常を示す情報が受信された場合に、前記光変調振幅に基づく情報の出力を停止する、
ことを特徴とする付記１〜５のいずれか一つに記載の光伝送装置。
【０１４５】
（付記７）他の光伝送装置へ光信号を送信する光伝送装置であって、
自装置に搭載された光伝送モジュールに関する製品情報を取得する取得部と、
前記取得部によって取得された前記製品情報を、前記製品情報に基づいて導出した消光比と、前記光信号の受信パワーの前記他の光伝送装置による測定結果と、に基づく光変調振幅を算出する前記他の光伝送装置へ送信する送信部と、
を備えることを特徴とする光伝送装置。
【０１４６】
（付記８）他の光伝送装置へ光信号を送信する光伝送装置であって、
自装置に搭載された光伝送モジュールに関する製品情報を取得する取得部と、
前記光信号の受信パワーの前記他の光伝送装置による測定結果を受信する受信部と、
前記取得部によって取得された前記製品情報に基づいて導出した消光比と、前記受信部によって受信された前記測定結果と、に基づく光変調振幅を算出する算出部と、
を備えることを特徴とする光伝送装置。
【０１４７】
（付記９）他の光伝送装置からの光信号を受信する光伝送装置であって、
前記光信号を受信し、受信した前記光信号の受信パワーを測定する受信部と、
前記受信部による前記受信パワーの測定結果を、前記他の光伝送装置に搭載された光伝送モジュールに関する製品情報から導出した消光比と、前記測定結果と、に基づく光変調振幅を算出する前記他の光伝送装置へ送信する送信部と、
を備えることを特徴とする光伝送装置。
【符号の説明】
【０１４８】
２０  伝送システム
２１，２２  光伝送路
１００  光伝送システム
１１０，２００Ａ  第１光伝送装置
１１１，１５２１  送信部
１１２  取得部
１２０，２００Ｂ  第２光伝送装置
１２１，１５１１  受信部
１２２，１５１２  算出部
２１０Ａ，２１０Ｂ，２３８Ａ，２３８Ｂ  ＣＰＵ
２２０Ａ，２２０Ｂ  パケット生成部
２３０Ａ，２３０Ｂ  プラガブルモジュール
２３１Ａ，２３１Ｂ，２３６Ａ，２３６Ｂ  ＣＤＲ
２３２Ａ，２３２Ｂ  ＬＤドライバ
２３３Ａ，２３３Ｂ  ＬＤ
２３４Ａ，２３４Ｂ  ＰＤ
２３５Ａ，２３５Ｂ  ＴＩＡ
２３７Ａ，２３７Ｂ  受信パワーモニタ
２３９Ａ，２３９Ｂ  ＡＰＣ部
２４０Ａ，２４０Ｂ  ＥＥＰＲＯＭ
２５０Ａ，２５０Ｂ  パケット受信部
２６０Ａ，２６０Ｂ  インタフェース
３１０  消光比データ
３２０  ＯＭＡ閾値
７００  スペック表
７０１，７０２  項目
８０１  送信端
８０２  受信端
８１１，８１２  波形
１２１０  出荷時消光比データ
【図１】
2018182647.tif 000006
【図２】
2018182647.tif 000007
【図３】
2018182647.tif 000008
【図４】
2018182647.tif 000009
【図５】
2018182647.tif 000010
【図６】
2018182647.tif 000011
【図７】
2018182647.tif 000012
【図８】
2018182647.tif 000013
【図９】
2018182647.tif 000014
【図１０】
2018182647.tif 000015
【図１１】
2018182647.tif 000016
【図１２】
2018182647.tif 000017
【図１３】
2018182647.tif 000018
【図１４】
2018182647.tif 000019
【図１５】
2018182647.tif 000020